(57)【要約】【課題】  糸巻きに巻き込んだ糸お解いて使うのに、適当な長さに糸を切断する際個別に用意したハサミを使わず、巻き解いた糸をワンタッチ操作で切断の出来るカッターを備えた糸巻きにすること。【解決の手段】  装飾キャラクターなどをモチーフにした形態や、シンプル形態での台座１の外周１ａの一部に切り込んだスリット２に位置して、カッター３の刃先を外周１ａより飛び出す事無く結合一体化し、当該台座１がクリップ４を具備した構成にすることでで、糸Ａの巻かれた糸巻きホルダーＢに着脱自在に挟着保持可能な構成にし、巻き解いた糸Ａを直ちに切断可能にし或いは、これらのクリップ４付きでの台座１単体で、糸Ａの切断を可能な構成にする。そしてまた、  前記する台座１の外周１ａの一部に糸止め切り込み５を設ける。更には、前記する台座１に一体化したクリップ４を除外し、これらの台座１の裏面１ｂに接着剤Ｃを設け、糸巻きホルダーＢの任意の位置に貼り付け固定の出来る構成にする。【選択図】図１
2010104738.tif 000002
【特許請求の範囲】
【請求項１】
装飾キャラクターなどをモチーフにした形態や、シンプル形態での台座の外周の一部に切り込んだスリットに位置して、カッターの刃先を外周より飛び出す事無く結合一体化し、当該台座がクリップを具備した構成にすることでで、糸の巻かれた糸巻きホルダーに着脱自在に挟着保持可能な構成にし、巻き解いた糸を直ちに切断可能にし或いは、これらのクリップ付きでの台座単体で、糸の切断を可能にしたことを特徴とする、糸切りカッター。
【請求項２】
前記する台座の外周の一部に糸止め切り込みを設けたことを特徴とする請求項１記載の、糸切りカッター。
【請求項３】
前記する台座に一体化したクリップを除外し、これらの台座の裏面に接着剤を設け、糸巻きホルダーの任意の位置に貼り付け固定可能にしたことを特徴とする請求項１又は２項記載の、糸切りカッター。
【発明の詳細な説明】
【技術分野】
【０００１】  この発明は、糸巻きホルダーに巻かれた糸を使用時に巻き解いた長さに切断するのに使う糸切りカッターに関する。
【背景技術】
【０００２】  此の種の従来の技術として、実願２００８−００２９５２で開示された考案名称「カッター付き糸巻き体」が最も近い技術として知られる。即ち、当該従来技術を図５に使用例を兼ねての全体を示す斜視図で述べるが、紙或いは合成紙等で成る、薄厚板状の糸止めスリットＢＢ付き（糸の端末を挟み込む切り込み）でなる、糸巻きホルダーＢに様々な糸、例えば、家庭用縫い糸、刺繍糸、或いは、釣り糸、用品補修糸、等の材質と太さ違いの糸が巻き込まれ、これらの巻き込まれた糸巻きホルダーＢの外周１ａの一部にスリット２０を切り込み開口し、このスリット２０に位置して外周より突起する事無く、カッター３０を外周に向け接合一体化し、利用者が使用の際に、必要な長さだけ巻き取られた糸を切るのに個別に用意するハサミを使わず、糸巻きホルダーＢに備え付けられた、カッター３０で即座に切断の出来るカッター付き糸巻き体を提供している。
【発明の開示】
【発明が解決しようとする課題】
【０００３】  しかしながら、上述する従来技術の場合は、たしかに、糸巻きホルダーに備え付けられたカッターで解いた糸を即座に切り取るのに、ハサミを使わずに切り取れる便利さがあるが、糸巻きホルダーに巻き込まれた糸が全部使い終わった時点で、カッター付きの糸巻きホルダーを不用物となり廃棄処分を強いられるという不経済である等の課題が残る。
【課題を解決する為の手段】
【０００４】  この発明は、かかる課題を解決する為に、請求項１での発明は図１、図２で述べるように装飾キャラクターをモチーフにした形態にし或いは、シンプルな形態でなる台座１の外周１ａの一部に切り込んだスリット２にカッター３の刃先を外周１ａより飛び出す事無く接合一体化し、当該台座１がクリップ４を具備した構成にすることで、糸Ａの巻かれた糸巻きホルダーＢに着脱自在に挟着保持可能にし、糸切りを安全に切断可能にした構成にする。
また、請求項２での発明は図３、図４で述べるように前記する台座１の外周１ａの一部に糸止め切り込み５を設ける構成とする。
【０００５】  また、請求項３での発明は前記する台座１に一体化したクリップ４を除外し、これらの台座１の裏面１ｂに接着剤Ｃを設け、糸巻きホルダーＢの任意の位置に貼り付け可能な構成にする。
【発明の効果】
【０００６】  本発明は、上述の通り構成作用するので、次の優れた効果を奏する。請求項１での効果は、カッターの付いた台座とクリップが一体構成の為、台座を摘んでクリップを糸の巻かれた糸巻きホルダーの任意の外周に挟み込み固着し、糸切りカッターとして使え、糸巻きホルダーの糸が使い終わった時点で糸切りカッターを取り外し、新しいどんな糸巻きホルダーに挟んで使う事が出来、更に、糸切りカッター単体で自由にハサミに変わって糸のカットが出来る安全でスペースの取らない携帯に便利なクリップで成る着脱自在な糸切りカッターを提供出来る。
【０００７】  また、請求項２での効果は、カッターの付いた台座に糸止め切り込みを設けることで、糸を切断する前に糸を挟んだまま糸切りの出来る糸切りカッターを提供出来る。そしてまた、台座を装飾キャラクター例えば、植物、動物、乗り物、器物、人形等の様々な造形、或いは、図案と色彩を使ってのアクセサリー風の糸切りカッターを提供出来る。
【０００８】  そしてまた、請求項３での効果はクリップのない、低コストでシンプルな接着して使えて、不用の際は糸切りカッターを剥がして再生の出来る糸切りカッターを提供出来る。
【発明を実施するための最良の形態】
【０００９】  以下に図示の実施例に基づいて更に詳細に説明する。即ち、図１は本発明の第１実施例での全体斜視図で、図２は同じく第１実施例での使用例を示しての斜視図で、基本的には金属でのバネ製でなるクリップ４の台座１（ハンドル）の外周１ａ（縁）に切り込んだスリット２を設けるが、これらのスリット２は、例えば、手縫い糸や釣り糸が楽に差し込まれる数ミリ程度の溝の形状で良く、このスリット２に金属薄板状のカッター３が刃先が外周１ａ向けに固定されるが、安全面と糸の切り易さから、スリット２の入り口より刃先は落とし込んで設定され、これらのカッター３は使用中スリット２からずれたり脱落がないよう固着されるが、インサートで合成樹脂での台座１に一体化でも良く、当て板を使って台座１の裏面にボンドやエポキシ接着剤等で貼り付ける等でも良く、或いは、硬質紙材を二枚合わせでカッター３を挟んで接着での一体化でも良い。【００１０】  前記する台座１の形態は、当該商品の顔ともなるので、装飾を兼ねてのデッサンが好まれる。本実施例は熊の造型を台座１に仕立てたが、多様なキャラクターが選択され商品価値を高めるに印刷或いはカラフルな色彩を使う等で限りなく形態に変化を持たせた台座１にする構成である。そしてまた、クリップ４の形態も特定するものでなく、金属製でのバネ質に限らず合成樹脂製での、例えば、ポリプルピレン樹脂での弾性を利用する等でも良く、ゼミクリップやダブルクリップ式構成でも良い。【００１１】  次に、図３は本発明の第２実施例での全体斜視図で、前記する台座１において、カッター３の固着したスリット２の設けた外周１ａから内に向け糸を挟み込みホールドする為の糸止め切り込み５を設ける構成で、巻き解いた糸をカッター３で切断する間際に糸止め切り込み５に糸を差し込んでホールドした後にカッター３で切断することで、端末が解ける事無く切断のままで良く、即ち、糸巻きホルダーＢに設けられた既存の糸止めスリットＢＢの位置に関係なく任意に糸切りカッターをセット出来る構成である。【００１２】  次にまた、図４は本発明での全体斜視図で、前記する台座１に一体化でなるクリップ４を取り除き、これらの台座１の裏面１ｂに例えば両面テープ接着剤などでの接着剤Ｃを設け、個別でなるこれらの台座１を利用者が手持ちの糸巻きホルダーＢの好みの位置に貼り付ける等して利用し、シンプルな低コスト仕上げで、糸巻きの使用後は糸巻きホルダーＢから剥がすなどし、廃棄処分することなく再生の出来る構成である。
【図面の簡単な説明】
【００１３】
【図１】    本発明に係わる第１実施例での全体を示す斜視図である。
【図２】    本発明に係わる第１実施例で使用例を示す全体斜視図である。
【図３】    本考案に係わる第２実施例での全体を示す斜視図である。
【図４】    本考案に係わる第３実施例での全体を示す斜視図である。
【図５】    従来技術での使用例を兼ねての全体を示す斜視図である。
【符合の説明】
【００１４】Ａ          糸
Ｂ          糸巻きホルダー
ＢＢ        糸止めスリット
Ｃ          接着剤
１          台座
１ａ        外周
１ｂ        裏面
２、２０    スリット
３、３０    カッター
４          クリップ
５          糸止め切り込み
【図１】
2010104738.tif 000003
【図２】
2010104738.tif 000004
【図３】
2010104738.tif 000005
【図４】
2010104738.tif 000006
【図５】
2010104738.tif 000007